(57)【要約】【課題】別途固定用の部品や工具等を用いることなく取付け面が非木材製の筐体枠を簡単に設置島に着脱することができ、環境適性にも優れ、遊技機の設置作業や交換作業の作業効率を向上させることのできる枠取付け構造、遊技機及び枠着脱方法を提供すること。【解決手段】この枠取付け構造１６は、取付け面４ｂが非木材で構成されたパチンコ機の筐体枠を設置島に取り付ける枠取付け構造であって、取付け面４ｂに形成された取付け開口１７と、取付け開口１７から筐体枠の外方への突出及び内方への退避が可逆的である係止部材１８と、操作に基づき係止部材１８を対向面と当接可能に突出させるレバー部材１９とを有する。【選択図】図５
2009066170.tif 000002
【特許請求の範囲】
【請求項１】
正面視略長方形とされた遊技機の周囲を囲むために、少なくとも、相対する両側面が非木材で構成された取付け面を有する筐体枠を、該遊技機を設置するために該取付け面と対向する対向面を有する設置島に取り付ける枠取付け構造であって、
前記取付け面に形成された取付け開口と、
該取付け開口から該筐体枠の外方への突出及び内方への退避が可逆的である係止部材と、
操作に基づき該係止部材を前記対向面と当接可能に突出させる操作部材と、を有する枠取付け構造。
【請求項２】
前記係止部材が鉤状部を有し、前記対向面への該鉤状部の侵入により前記筐体枠の前記設置島への取付けを行う請求項１に記載の枠取付け構造。
【請求項３】
前記係止部材が弾性体を有し、前記対向面と該弾性体との摩擦接触により前記筐体枠の前記設置島への取付けを行う請求項１に記載の枠取付け構造。
【請求項４】
前記取付け開口の周囲に内方に向けて立設されて前記係止部の周囲を囲む側面部と前記係止部材の内方に配置された蓋部とを有して、前記取付け開口と前記筐体枠の内方とを実質的に遮断する遮断部、を更に有する請求項１から請求項３のうちいずれか１項に記載の枠取付け構造。
【請求項５】
前記係止部材が、前記取付け面の前後方向に沿った複数箇所において突出可能とされている請求項１から請求項４のうちいずれか１項に記載の枠取付け構造。
【請求項６】
遊技媒体による遊技を演出する遊技装置体と、
該遊技装置体を視認可能に内部に保持し、請求項１から請求項５のうちいずれか１項に記載の枠取付け構造を有する枠体と、
前記遊技装置体に対して一定距離以上離間して配置された前面透明板と、を有する遊技機。
【発明の詳細な説明】
【技術分野】
【０００１】
本発明は、枠取付け構造及び遊技機に係り、特に設置島への取付け面が金属等の非木材製である筐体枠を設置島に対して簡単に着脱することのできる枠取付け構造等に関する。
【背景技術】
【０００２】
パチンコ機においては、弾球された球が遊技領域（遊技盤面上又はその近傍に形成された領域であって、球の流下による遊技や演出を実現するための領域。）を流下して、その流下の過程で球が遊技領域内のゲージ（障害釘ともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機は、一般に、パチンコホールと呼ばれる遊技店に設置される。そのパチンコホールには、パチンコ機にパチンコ球を補給したりパチンコ機から排出されたパチンコ球を回収する機能を有して遊技機設置島（設置島）が配設されており、その設置島に複数のパチンコ機が一連に並べて設置されている。もちろん、設置島には、パチンコ機のみならず、遊技媒体としてメダルを用いて回胴遊技を行うパチスロ機等が設置される場合もある。
【０００４】
このパチンコ機やパチスロ機等の遊技機の周囲を囲む筐体枠は、従来木材製のものが多用されている。そして、設置島の設置部分（すなわち、筐体枠と対向する対向面。）も従来木材製のものが多い。そして、この遊技機を設置島に設置する際には、筐体枠を設置島の設置部分に釘で打ちつけて固定することがよく行われている。
【０００５】
近年、材料の再利用・廃棄物低減等の環境適性の観点、不正防止の観点、枠の強度向上の観点等から、金属製の筐体枠を用いる遊技機が出現している。しかしながら、この金属製の筐体枠を、従来のようにそのまま釘を用いて設置島に打ち付けることは困難である。そのため、例えば特許文献１に開示のもののように、金属性筐体枠の一部に木製の枠部材を組み合わせて使用し、筐体枠の強度を確保しつつ取付け時には木製の枠部分に釘を使用する方法が提案されている。
【０００６】
【特許文献１】特開２００３−３２５９００号公報
【発明の開示】
【発明が解決しようとする課題】
【０００７】
しかしながら、特許文献１に開示のものであっても、釘をハンマー等によって打ち付けて固定することに変わりないので、遊技機の設置に際して釘やハンマー等の固定用の部品や工具が別途必要となってしまう。また、筐体枠の上面を設置島に固定する際には、下から上向きに釘を打ち付けなければならない。
【０００８】
遊技機を交換する際には、設置島から遊技機を取り外す必要があるが、その場合には、わざわざ釘抜きを用いて固定用の釘を抜かなければならない。このような状況は、例えば遊技機の設置時に位置ずれを生じてしまい、設置後に位置を微調整したい場合にも同様に生じる。その際に一旦抜去した固定用の釘も廃棄処分となるので、環境適性の観点からも好ましいとはいえない。
【０００９】
本発明は、上記の事情に鑑みて為されたもので、別途固定用の部品や工具等を用いることなく取付け面が非木材製の筐体枠を簡単に設置島に着脱することができ、環境適性にも優れ、遊技機の設置作業や交換作業の作業効率を向上させることのできる枠取付け構造及び遊技機を提供することを例示的課題とする。
【課題を解決するための手段】
【００１０】
上記の課題を解決するために、本発明の例示的側面としての枠取付け構造は、正面視略長方形とされた遊技機の周囲を囲むために、少なくとも、相対する両側面が非木材で構成された取付け面を有する筐体枠を、遊技機を設置するために取付け面と対向する対向面を有する設置島に取り付ける枠取付け構造であって、取付け面に形成された取付け開口と、取付け開口から筐体枠の外方への突出及び内方への退避が可逆的である係止部材と、操作に基づき係止部材を対向面と当接可能に突出させる操作部材と、を有することを特徴とする。
【００１１】
操作部材を操作することによって係止部材を取付け開口から突出させて設置島の対向面に当接させることができるので、取付けのための部品や工具等を別途必要とせずに簡単な操作によって筐体枠の取付け面を設置島の対向面に固定することができる。係止部材が筐体枠の外方へ突出して設置島の対向面と当接することにより取付け面と対向面との固定が行われるので、両者が確実に固定されて遊技機が設置島に取り付けられ、遊技機が設置島から脱落する虞が殆どない。また、係止部材が可逆的に突出・退避可能とされているので、操作部材を操作することによって係止部材を退避させて簡単に筐体枠を設置島から取り外すこともできる。
【００１２】
着脱操作が簡単なので遊技機の設置及び交換の作業性がよく、設置時の位置修正等も簡単に行うことができる。しかも着脱に際して釘やハンマー等の部品や工具等を別途必要とせず、廃棄物も生じないので環境適性にも優れている。
【００１３】
なお、ここで遊技機は、正面視略長方形とされ、全体として略直方体形状とされた種々の遊技機を含み、典型的にはパチンコ機、パチスロ機、パロット機、スロットマシン等が概念される。また、その筐体枠における非木材の取付け面は、典型的には鉄・アルミニウム・マグネシウム・銅・真鍮等の金属若しくはそれらの合金又はそれらと他の金属との合金や樹脂を材料とする。筐体枠の側面には、例えば遊技機を正面視した場合の上側面、下側面、左側面、右側面があり、すなわち相対する両側面は上側面及び下側面、又は左側面及び右側面を意味する。筐体枠の内方とは、その各側面で囲まれた領域内又はその領域内への方向を意味し、外方とは各側面で囲まれた領域外又はその領域外への方向を意味する。
【００１４】
係止部材が鉤状部を有し、対向面への鉤状部の侵入により筐体枠の設置島への取付けを行うものであってもよい。鉤状部の侵入（例えば、食い込み。）により筐体枠が設置島に取り付けられるので、簡単な操作でより一層強固に設置島への取付けを行うことができる。したがって、遊技機が設置島から脱落する虞を更に一層低減することができる。
【００１５】
係止部材が弾性体を有し、対向面と弾性体との摩擦接触により筐体枠の設置島への取付けを行うものであってもよい。対向面と弾性体との摩擦接触により筐体枠が設置島に取り付けられるので、取付けによる設置島の対向面の損傷を最小限に軽減することができる。したがって、筐体枠の設置島への着脱回数が多くなっても対向面が殆ど損傷せず、対向面の耐用期間を増大させることができる。
【００１６】
取付け開口の周囲に内方に向けて立設されて係止部の周囲を囲む側面部と係止部材の内方に配置された蓋部とを有して、取付け開口と筐体枠の内方とを実質的に遮断する遮断部、を更に有してもよい。
【００１７】
この遮断部によって、ピアノ線等の異物を筐体枠外部から筐体枠内部へ侵入させるような不正行為を有効に阻止することができる。したがって、不正行為によって故障や不具合が発生することが殆どなく、遊技機の信頼性向上に寄与することができる。また、安全で楽しい遊技の提供に資することができる。なお、取付け開口の近傍に遮断部が配置されるこの発明においては、その遮断部が、取付け開口近傍における筐体枠の内方と外方との実質的な境界となる。
【００１８】
係止部材が、取付け面の前後方向に沿った複数箇所において突出可能とされていてもよい。それにより、設置島の寸法に応じて筐体枠の取付け位置を変更することが可能となる。例えば、取付け開口が前後方向に沿って長穴とされており、その長穴に沿って係止部材が前後にスライド移動可能とされていてもよい。また、係止部材を取り付けるための取付け部が取付け面上の前後方向に沿って複数箇所設定されており、各々の位置に対応して取付け開口が形成されていてもよい。
【００１９】
なお、ここで前方向とは遊技機から遊技者に向かう方向、すなわち遊技機を正面視した場合に手前に向かう方向である。また、後方向とは遊技者から遊技機に向かう方向、すなわち、遊技機を正面視した場合に奥側に向かう方向である。
【００２０】
本発明の他の例示的側面としての遊技機は、遊技媒体による遊技を演出する遊技装置体と、遊技装置体を視認可能に内部に保持し、上記の枠取付け構造を有する枠体と、遊技装置体に対して一定距離以上離間して配置された前面透明板と、を有することを特徴とする。
【００２１】
この遊技機の枠体は、上記の枠取付け構造を有しているので、取付けのための部品や工具等を別途必要とせずに簡単な操作によって設置島に設置することができる。また、簡単な操作によって設置島から取り外すこともできる。着脱操作が簡単なので遊技機の設置及び交換の作業性がよく、設置時の位置修正等も簡単に行うことができる。しかも着脱に際して別途部品や工具等を必要とせず、廃棄物も生じないので環境適性にも優れている。
【００２２】
本発明の更なる目的又はその他の特徴は、以下添付図面を参照して説明される好ましい実施の形態によって明らかにされるであろう。
【発明の効果】
【００２３】
本発明によれば、取付けのための部品や工具等を別途必要とせずに、簡単な操作によって筐体枠を設置島に着脱することができる。着脱操作が簡単なので、遊技機の設置及び交換の作業性がよく、設置時の位置修正等も簡単に行うことができる。しかも着脱に際して別途部品や工具等を必要とせず、廃棄物も生じないので環境適性にも優れている。
【発明を実施するための最良の形態】
【００２４】
［実施の形態］
以下、本発明の実施の形態について図面を用いて説明する。図１は、本発明の実施の形態に係る遊技機としてのパチンコ機２の外観斜視図である。このパチンコ機２は、枠体３、遊技盤（遊技装置体）６、図柄表示装置７、前面ガラス（前面透明板）１０、発射ユニット（不図示）、貯留皿１４を有している。
【００２５】
なお、遊技機は、パチンコ機２の他にパチスロ機、パロット機、スロットマシン、アーケードマシン、各種ゲーム機を概念することができ、要するに、周囲を筐体枠で囲まれ、その筐体枠が設置島に取り付けられるあらゆる遊技機が含まれる。なお、パチンコ機２においても、アレンジボール機、雀球機等の組合せ式パチンコ機、いわゆるセブン機等の景品球払出し式パチンコ機等のあらゆるパチンコ機が概念できるが、本実施の形態においては、景品球払出し式のいわゆるセブン機について例示説明する。
【００２６】
図２は、パチンコホールにおいて、このパチンコ機２が設置島Ｓに設置されている様子を示す外観図である。パチンコ機２は正面視長方形とされており、図２に示すように、複数のパチンコ機２が設置島Ｓ内に横一列に並ぶように設置されている。隣接するパチンコ機２の間には、例えば金銭の両替を行うための両替機（不図示）、金銭や有価媒体（例えば、プリペイドカード。）と遊技媒体（本実施の形態においては、パチンコ球。）とを交換するための球貸出し機（不図示）等が設置される場合もある。
【００２７】
図３は、設置島Ｓにおけるパチンコ機２の設置部分近傍を拡大して示す拡大透視図（遠近投影図）である。設置島Ｓは、パチンコ機２を一連に並べて配置するための大型の構造体であり、大略的には木製材料により構成されている。設置島Ｓの周面近傍にはパチンコ機２、球貸出機、球計数機（不図示）等が配置され、その内部には各パチンコ機２に球を補給するための補給システム（不図示）が設置されている。
【００２８】
設置島Ｓの周面Ｓ０には、パチンコ機２を設置するための開口部Ｓ１が形成されており、その開口部Ｓ１の上辺近傍及び下辺近傍には、各々パチンコ機２の筐体枠４（図１参照）を固定するための上側設置面（対向面）Ｓ２及び下側設置面（対向面）Ｓ３が配置されている。これら両設置面Ｓ２，Ｓ３は各々木材製の平板部材で構成されており、パチンコ機２の上下寸法と略同寸法以上離間して配置されている。そして、上側設置面Ｓ２及び下側設置面Ｓ３に各々筐体枠４の上側面（取付け面）４ａ及び下側面（取付け面）４ｂ（いずれも図４を参照。）が取り付けられるようになっている。
【００２９】
パチンコ機２の枠体３は、後述する遊技盤６を内部に保持するためのもので、このパチンコ機２の周囲及び前方を囲むように構成される。枠体３の内部には、遊技盤６の他にも各種電子基板や遊技媒体用の経路等各種機構部品が配置され、周囲側面及び前面からのパチンコ機２内部への不正アクセスが防止されるようになっている。例えば、最後方に配置されてパチンコ機２の周囲を囲む筐体枠４、その前方にヒンジ部（揺動支持部）２２によって前方開閉可能に揺動支持されて遊技盤６を保持する機枠９、機枠９の更に前方にヒンジ部２２によって前方開閉可能に揺動支持されて前面ガラス１０とその周囲を装飾する装飾部材３２とを保持する装飾枠１２とを有して枠体が構成される。なお、前面ガラス１０は、枠体３内部に保持された遊技盤６を前方から遊技者が視認することができるようにするための透明部材であるが、詳細は後述する。
【００３０】
図４は、この筐体枠４の全体構成を示す外観斜視図である。筐体枠４は、パチンコ機２の周囲を囲むために略直方体形状とされ、図４に示すように、上側面４ａ、下側面４ｂ、左側面４ｃ、右側面４ｄを有している。また、例えば、鉄・アルミニウム・マグネシウム・銅・真鍮等の金属若しくはそれらの合金又はそれらと他の金属との合金や樹脂を材料として構成され、いわゆる非木材製とされている。もちろん、上下側面４ａ，４ｂ又は左右側面４ｃ，４ｄのうちいずれか一方のみが非木材製であって他方が木材製であっても構わない。本実施の形態１においては、少なくとも上下側面４ａ，４ｂが非木材製である場合について説明する。
【００３１】
この筐体枠４の上側面４ａ近傍と下側面４ｂ近傍とには各々左右２箇所、計４箇所に枠取付け構造１６が構成されている。この枠取付け構造１６は、筐体枠４を設置島Ｓに簡単に着脱するための構造である。以下、下側面４ｂ近傍に構成された一方の枠取付け構造１６について説明するが、下側面４ｂ近傍の他方側又は上側面４ａ近傍においても略同様の構成となっているので、それらの説明は省略する。
【００３２】
図５は、この枠取付け構造１６の全体構成の概略を示す分解斜視図である。枠取付け構造１６は、取付け開口１７、係止部材１８、レバー部材（操作部材）１９、遮断部２０を有して大略構成されている。
【００３３】
取付け開口１７は、筐体枠４の下側面４ｂに貫通形成された孔であり、係止部材１８の外形状に対応して形成されたものである。例えば、本実施の形態においては、係止部材１８の外形状が略長方形であるので取付け開口１７の開口形状も略長方形状とされるが、もちろんこれらの形状は設計上の都合に応じて種々設定可能である。
【００３４】
その取付け開口１７を通して、係止部材１８が筐体枠４の内外方に突出・退避可能に配置されている。この突出及び退避は可逆的であり、レバー部材１９の操作によって突出後に退避させることも、退避後に突出させることも可能とされている。係止部材１８は略直方体形状の部材であり、例えばアルミニウム等の金属や樹脂等により構成されたブロック体である。この係止部材１８は、その下側設置面Ｓ３に対向する面（すなわち、筐体枠４の外方側の面。）が係止面１８ａとされており、本実施の形態においては、その係止面１８ａが鉤状部１８ｂを有している。
【００３５】
鉤状部１８ｂは、例えば鋸歯形状の突起物や三角柱又は四角錐等の楔形断面の突起物を多数有して構成されており、この鉤状部１８ｂが下側設置面Ｓ３に付勢されて食い込む（侵入する。）ことにより筐体枠４の設置島Ｓへの取付けを強固に行うことができるようになっている。
【００３６】
この係止部材１８の周囲を囲むように側面部２０ａが配置され、係止部材１８の内方に蓋部２０ｂが配置され、これら側面部２０ａと蓋部２０ｂとが協働して遮断部２０として機能するようになっている。すなわち、係止部材１８及び遮断部２０を筐体枠４に取り付けると、側面部２０ａが取付け開口１７を囲むように筐体枠４の内方に向けて立設配置される。
【００３７】
そして、この遮断部２０が全体として取付け開口１７と筐体枠４の内方とを実質的に遮断し、筐体枠４の外方から取付け開口１７を介して筐体枠４の内方へと異物が侵入するのを有効に防止している。なお、この側面部２０ａの一部が直角に折り曲げられて筐体枠４への固定部２０ｃとされており、この固定部２０ｃと筐体枠４側の固定孔５ａとによって、係止部材１８が筐体枠４に取り付けられるようになっている。
【００３８】
レバー部材１９は、取付け開口１７を通して係止部材１８を突出・退避させるための操作部材である。図６は、この枠取付け構造１６の側方部分断面図であって、（ａ）は係止部材１８の退避状態を示す図であり、（ｂ）は係止部材１８が突出して下側設置面Ｓ３に当接した状態を示す図であり、（ｃ）は係止部材１８が下側設置面Ｓ３に食い込んで筐体枠４が固定された状態を示す図である。
【００３９】
レバー部材１９は、その一端側が側面部２０ａに軸支されて支点１９ａとされ、他端側が手で操作可能な操作部１９ｂとされ（力点）、その中間部分において係止部材１８と連結される連結部１９ｃが設けられ（作用点）、操作部１９ｂの操作力を、連結部１９ｃを介して係止部材１８に伝達することができるようになっている。
【００４０】
操作部１９ｂを図６中Ｘ方向（所定方向）へ回転操作すると、係止部材１８が取付け開口１７から突出して下側設置面Ｓ３に当接する（図６（ｂ））。ここで、更に操作部１９ｂをＸ方向に回転操作して、筐体枠４に設置された係止フック５に係止させると、操作部１９ｂ自身が有する弾性に基づき係止部材１８に筐体枠４の外方に向けての付勢力が作用する。それにより、鉤状部１８ｂが下側設置面Ｓ３に食い込んで、筐体枠４が設置島Ｓに強固に固定取付けされるようになっている。
【００４１】
その後、操作部１９ｂを係止フック５から解除し、−Ｘ方向（すなわちＸ方向の逆方向。）へ回転操作すると、係止部材１８が取付け開口１７から筐体枠４の内方へと退避し、再び図６（ａ）に示すような状態となる。したがって、筐体枠４と設置島Ｓとの固定が簡単な操作によって解除され、取付けのやり直し時やパチンコ機２の交換時等の作業効率が向上する。
【００４２】
なお、図７に筐体枠４の外観斜視図を示すように、取付け開口１７及び固定孔５ａが筐体枠４の前後方向に沿って複数位置に設定されており、係止部材１８がいずれかの固定孔５ａによって筐体枠４に取付け可能とされていてもよい。設置島Ｓの両設置面Ｓ２，Ｓ３の前後方向寸法はパチンコホールによって異なる場合があり、係止部材１８の突出位置がその前後方向において１箇所だけでは、様々な設置島Ｓへの取付けに対応できない場合がある。このような場合に、係止部材１８の取付け位置が筐体枠４の前後方向において複数設定され、前後方向における複数位置で係止部材１８が突出可能とされていれば、様々な前後方向寸法の設置面Ｓ２，Ｓ３においても問題なく筐体枠４が取付け可能である。
【００４３】
遊技盤６は、このパチンコ機２において、遊技媒体としての球（パチンコ球）２３の流下による遊技を演出するためのものである。遊技盤６の表面（遊技盤面）６ａには、遊技盤面６ａを略円形状に囲み、かつその内側面（内周面）２６ａによって遊技領域６ｂを画定するレール飾り２６が取り付けられている。そして、その遊技領域６ｂ内には、遊技に一層の演出性を付加するための図柄表示装置７、ゲージ２７、普通入賞口２８、特別入賞口２８ａ、始動入賞口２９、大入賞口２９ａ、アウト口３０、その他の各種役物（例えば、羽根車等。）等が配置されている。
【００４４】
図柄表示装置７は、例えば、液晶表示装置・有機ＥＬディスプレイ・ＬＥＤ等により構成されてパチンコ機２の前方から視認可能に設けられ、その表示画面（映像表示面）７ａ上に映像表示を行う。この表示画面７ａ上には、例えば、３桁の数字又は文字等により構成される表示図柄７ｂが回転又は停止するように映像として表示される。また、例えば、キャラクター等によるストーリー仕立ての映像としての演出映像７ｃも表示画面７ａ上に表示されるようになっている。球２３の始動入賞口２９への入賞に起因して、図柄表示装置７の表示図柄７ｂが回転表示を開始し、その表示図柄７ｂが所定の図柄（例えば、大当たりに対応する「７・７・７」。）で停止表示すれば、大入賞口２９ａが開放して多量の入賞球の受入れ及び多量の景品球の払出しが行われるようになっている。
【００４５】
前面ガラス１０は、遊技盤６に対して一定距離以上離間して配置された透明板である。前面ガラス１０は透明平板ガラスで形成されて装飾枠１２に保持され、遊技盤６との間に球２３が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００４６】
発射ユニットは、球供給装置（不図示）によって貯留皿１４の一部としての上皿１４ａから発射位置に送り出された球２３を遊技領域６ｂの上部に向けて発射（弾球）するためのものである。発射ユニットは、例えば発射位置の球２３を弾球する発射杆、その発射杆を駆動する発射モータ、発射杆を付勢して弾球力を発生させる発射バネ等を有してユニット構成され、機枠９に取り付けられている。その発射ユニットによる球発射のため、遊技者の操作に基づいて球発射のオンオフ及びその発射強度調整を実現する発射ハンドル１５がパチンコ機２の前面下方に設けられている。
【００４７】
貯留皿１４は、遊技者の持ち球を貯留するためにパチンコ機２の前面に配置された皿部材であって、本実施の形態においては上皿１４ａと下皿１４ｂとを有している。上皿１４ａは、球排出ボタン１４ｃを有して遊技盤６の下方、すなわち装飾枠１２の下方部分に配置され、下皿１４ｂは、その上皿１４ａの更に下方に配置されている。
【００４８】
［変形例１］
図８は、本発明の変形例１に係る枠取付け構造１１６の全体構成の概略を示す側方部分断面図であって、（ａ）は係止部材１１８の退避状態を示す図であり、（ｂ）は係止部材１１８が突出して下側設置面Ｓ３に当接した状態を示す図であり、（ｃ）は係止部材１１８が下側設置面Ｓ３に強く押し付けられて弾性変形し、筐体枠４が固定された状態を示す図である。この枠取付け構造１１６においては、係止部材１１８がその係止面１１８ａにおいて弾性体１１８ｂを有している。そして、その弾性体１１８ｂをレバー部材１９の操作に基づいて設置島Ｓの下側設置面Ｓ３に当接させ、弾性体１１８ｂの表面と下側設置面Ｓ３の表面との摩擦接触により筐体枠４を設置島Ｓに固定している。
【００４９】
弾性体１１８ｂとしては、例えばシリコンゴム・ウレタンゴム・天然ゴム等のゴムの他、スポンジ・発砲樹脂等の多孔性物質や弾性を有する樹脂・繊維状物質等が適用可能である。これら弾性体１１８ｂはその弾性変形に基づき高い表面摩擦力を発揮し、木製材料で構成される下側設置面Ｓ３の表面との間でも高い摩擦抵抗を実現する。したがって、係止部材１１８が下側設置面Ｓ３内に食い込まなくても、確実に筐体枠４の設置島Ｓへの取付けを行うことができる。
【００５０】
しかも、係止部材１１８が下側設置面Ｓ３内に食い込んだりしないので、筐体枠４の取付けによって下側設置面Ｓ３が殆ど損傷を受けない。そのため、筐体枠４の着脱を繰り返したとしても、下側設置面Ｓ３へのダメージが極めて少なく、ひいては設置島Ｓの耐用期間を増大させることができる。
【００５１】
なお、この変形例１においては、係止面１１８ａが弾性体１１８ｂを有する場合について説明したが、例えば弾性体でなくても係止面１１８ａが粗面とされていれば、高い表面摩擦力を発揮して同様の効果を得ることができる。
【００５２】
［変形例２］
図９は、本発明の変形例２に係る枠取付け構造２１６の全体構成の概略を示す側方部分断面図であって、（ａ）は係止部材２１８の退避状態を示す図であり、（ｂ）は係止部材２１８が突出して下側設置面Ｓ３に当接した状態を示す図であり、（ｃ）は係止部材２１８が下側設置面Ｓ３に螺合して筐体枠４が固定された状態を示す図である。この枠取付け構造２１６においては、係止部材２１８が螺子部２１８ｂを有して構成され、その螺子部２１８ｂの端部には、操作部材としての回転操作部２１９が配置されている。
【００５３】
回転操作部２１９を所定方向（図９中のθ方向。）へと回転操作することにより、螺子部２１８ｂを突出させて下側設置面Ｓ３に螺合させて、筐体枠４を設置島Ｓに強固に取り付けることができる。また、−θ方向（所定方向の逆方向。）へと回転操作することにより、螺子部２１８ｂを退避させて螺合を解除させて、筐体枠４を設置島Ｓから簡単に取り外すことができる。
【００５４】
螺合により筐体枠４と設置島Ｓとを取り付ければ、筐体枠４の前後左右方向の位置規制のみならず、螺子面による上下方向（図９中のＹ方向。）の位置規制も可能となる。したがって、例えば、温湿度の影響や劣化の影響や地震等の影響によって上側設置面Ｓ２と下側設置面Ｓ３とが歪みを生じ、両設置面Ｓ２，Ｓ３の面間隔が大きく増大してしまった場合であっても、パチンコ機２が設置島Ｓから脱落してしまうようなことがない。したがって、パチンコホールの安全性の向上に寄与することができる。
【００５５】
以上、本発明の好ましい実施の形態を説明したが、本発明はこれらに限定されるものではなく、その要旨の範囲内で様々な変形や変更が可能である。
【００５６】
例えば、上記実施の形態において、取付け開口１７が筐体枠４の前後方向に沿って複数位置に設定されている場合について説明したが、取付け開口１７が筐体枠４の前後方向に沿って長く延びる長孔とされ、係止部材１８がその長孔に沿って公知のスライド機構によってスライド移動可能であり、かつ任意の位置で固定可能とされていてもよい。それにより、係止部材１８の位置の移動も一層簡単となり、また、任意の前後位置で係止部材１８を固定することができるので、様々に異なる両設置面Ｓ２，Ｓ３の前後方向寸法への対応力も更に高めることができる。
【図面の簡単な説明】
【００５７】
【図１】本発明の実施の形態に係るパチンコ機の外観斜視図である。
【図２】図１に示すパチンコ機が設置島に設置されている様子を示す外観図である。
【図３】図２に示す設置島におけるパチンコ機の設置部分近傍を拡大して示す拡大透視図である。
【図４】図１に示す筐体枠の全体構成を示す外観斜視図である。
【図５】図４に示す筐体枠が有する枠取付け構造の全体構成の概略を示す分解斜視図である。
【図６】図５に示す枠取付け構造の側方部分断面図であって、（ａ）は係止部材の退避状態を示す図であり、（ｂ）は係止部材が突出して下側設置面に当接した状態を示す図であり、（ｃ）は係止部材が下側設置面に食い込んで筐体枠が固定された状態を示す図である。
【図７】図１に示す筐体枠の全体構成の他の例を示す外観斜視図である。
【図８】本発明の変形例１に係る枠取付け構造の全体構成の概略を示す側方部分断面図であって、（ａ）は係止部材１１８の退避状態を示す図であり、（ｂ）は係止部材１１８が突出して下側設置面Ｓ３に当接した状態を示す図であり、（ｃ）は係止部材１１８が下側設置面Ｓ３に強く押し付けられて弾性変形し、筐体枠４が固定された状態を示す図である。
【図９】本発明の変形例２に係る枠取付け構造の全体構成の概略を示す側方部分断面図であって、（ａ）は係止部材２１８の退避状態を示す図であり、（ｂ）は係止部材２１８が突出して下側設置面Ｓ３に当接した状態を示す図であり、（ｃ）は係止部材２１８が下側設置面Ｓ３に螺合して筐体枠４が固定された状態を示す図である。
【符号の説明】
【００５８】
Ｓ：設置島
Ｓ０：周面
Ｓ１：開口部
Ｓ２：上側設置面（対向面）
Ｓ３：下側設置面（対向面）
Ｘ，Ｙ，θ：方向
２：パチンコ機（遊技機）
３：枠体
４：筐体枠（枠体の一部）
４ａ：上側面（取付け面）
４ｂ：下側面（取付け面）
４ｃ：左側面
４ｄ：右側面
５：係止フック
５ａ：固定孔
６：遊技盤（遊技装置体）
６ａ：遊技盤面
６ｂ：遊技領域
７：図柄表示装置
７ａ：表示画面（映像表示面）
７ｂ：表示図柄
７ｃ：演出映像
９：機枠（枠体の一部）
１０：前面ガラス（前面透明板）
１２：装飾枠（枠体の一部）
１４：貯留皿
１４ａ：上皿
１４ｂ：下皿
１４ｃ：球排出ボタン
１５：発射ハンドル
１６，１１６，２１６：枠取付け構造
１７：取付け開口
１８，１１８，２１８：係止部材
１８ａ，１１８ａ：係止面
１８ｂ：鉤状部
１９：レバー部材（操作部材）
１９ａ：支点
１９ｂ：操作部
１９ｃ：連結部
２０：遮断部
２０ａ：側面部（遮断部の一部）
２０ｂ：蓋部（遮断部の一部）
２０ｃ：固定部
２２：ヒンジ部（揺動支持部）
２３：球（パチンコ球）
２６：レール飾り
２６ａ：内側面（内周面）
２７：ゲージ
２８：普通入賞口
２８ａ：特別入賞口
２９：始動入賞口
２９ａ：大入賞口
３０：アウト口
３２：装飾部材
１１８ｂ：弾性体
２１８ｂ：螺子部
２１９：回転操作部（操作部材）
【図１】
2009066170.tif 000003
【図２】
2009066170.tif 000004
【図３】
2009066170.tif 000005
【図４】
2009066170.tif 000006
【図５】
2009066170.tif 000007
【図６】
2009066170.tif 000008
【図７】
2009066170.tif 000009
【図８】
2009066170.tif 000010
【図９】
2009066170.tif 000011